(57)【要約】【課題】  スタンプラリーの参加者の向いている方位も含めたチェックポイントの到達判定を行う。【解決手段】  スタンプラリーの参加者が所持する携帯端末装置１は、筐体の位置を検出するＧＰＳ受信機１０及び筐体が向く方位を検出する地磁気センサ２０を具備し、サーバ３へ携帯端末装置１の位置及び方位を送信する。サーバ３は、携帯端末装置１から受信した位置が予め定められた位置と合致し、かつ携帯端末装置１から受信した方位が予め定められた方位と合致したときにチェックポイントに到達したと判定する。全てのチェックポイントに到達すると報償としてサーバ３から携帯端末装置１へコンテンツデータが送信される。【選択図】  図１
2006209214.tif 000002
【特許請求の範囲】
【請求項１】
スタンプラリーの参加者が所持する携帯端末装置からなるスタンプラリーシステムにおいて、
前記携帯端末装置は、
筐体の位置を検出する位置情報検出手段と、
筐体が向く方位を検出する方位情報検出手段と、
前記位置情報検出手段が検出した位置が予め定められた位置と合致し、かつ前記方位情報検出手段が検出した方位が予め定められた方位と合致したときにチェックポイントに到達したと判定する到達判定手段と、
を具備することを特徴とするスタンプラリーシステム。
【請求項２】
前記携帯端末装置は通信手段をさらに具備し、前記スタンプラリーシステムは前記携帯端末装置と通信を行うサーバをさらに具備し、
前記サーバは前記携帯端末装置が予め定められたチェックポイントに到達した場合に、報償としてコンテンツデータを前記携帯端末装置へ送信することを特徴とする請求項１に記載のスタンプラリーシステム。
【請求項３】
サーバとスタンプラリーの参加者が所持する携帯端末装置とがネットワークで接続されたスタンプラリーシステムにおいて、
前記携帯端末装置は、
筐体の位置を検出する位置情報検出手段と、
筐体が向く方位を検出する方位情報検出手段と、
を具備し、
前記サーバは、
前記携帯端末装置の位置情報検出手段が検出した位置が予め定められた位置と合致し、かつ前記携帯端末装置の方位情報検出手段が検出した方位が予め定められた方位と合致したときにチェックポイントに到達したと判定する到達判定手段を具備することを特徴とするスタンプラリーシステム。
【請求項４】
前記サーバは、前記携帯端末装置が予め定められたチェックポイントに到達した場合に、報償としてコンテンツデータを前記携帯端末装置へ送信することを特徴とする請求項３に記載のスタンプラリーシステム。
【発明の詳細な説明】
【技術分野】
【０００１】
本発明は、携帯端末装置を利用したスタンプラリーシステムに関する。
【背景技術】
【０００２】
従来、スタンプラリーは販売広告、情報伝達等を目的として行われ、製品又はサービスを提供する会社等が主催者となり、参加者は台紙を持って複数設けられたチェックポイントを回り、各チェックポイントに置いてあるスタンプを台紙に押し、主催者はスタンプの有無により各チェックポイントへの到達判定を行う。このようなチェックポイントの到達判定をＧＰＳ受信機等の位置情報検出手段を用いて行うスタンプラリーシステムが特許文献１から４に記載されている。
【特許文献１】特開２００４−１３９１９３号公報
【特許文献２】特開２００２−３０６６６１号公報
【特許文献３】特開２００２−２７３０５４号公報
【特許文献４】特開２００２−１３２６１０号公報
【発明の開示】
【発明が解決しようとする課題】
【０００３】
従来のスタンプラリーシステムによれば、各チェックポイントの到達判定は、参加者の位置情報によって行われ、参加者の向いている方位は考慮されていないので、チェックポイントに到達したと判定された参加者であっても主催者が意図する目標物の方向を見ていない場合がある。このような場合は、特定の広告物を見て欲しい、展示物に触れて欲しい等の主催者の意図が参加者に伝わっておらず、参加者が感じる面白さも減少する。
また、従来のスタンプラリーシステムには参加者がチェックポイントに到達したことによって得られるべき報償を授与する手段が含まれていない。このため、主催者は全てのチェックポイントに到達したスタンプラリーの達成者に対して報償を与えたい場合には、スタンプラリーシステムとは別にその手続きを行う必要があり、効率が悪く即効性に欠ける。
本発明は、上記の事情を考慮してなされたものであり、その目的は、スタンプラリーの参加者の向いている方位も含めたチェックポイントの到達判定を行うスタンプラリーシステムを提供することである。また、スタンプラリーの達成者に報償の授与を行うことができるスタンプラリーシステムを提供することである。
【課題を解決するための手段】
【０００４】
本発明は上記の課題を解決するためになされたもので、請求項１に記載の発明は、スタンプラリーの参加者が所持する携帯端末装置からなるスタンプラリーシステムにおいて、
前記携帯端末装置は、筐体の位置を検出する位置情報検出手段と、筐体が向く方位を検出する方位情報検出手段と、前記位置情報検出手段が検出した位置が予め定められた位置と合致し、かつ前記方位情報検出手段が検出した方位が予め定められた方位と合致したときにチェックポイントに到達したと判定する到達判定手段と、を具備することを特徴とするスタンプラリーシステムである。
【０００５】
請求項２に記載の発明は、請求項１に記載のスタンプラリーシステムにおいて、前記携帯端末装置は通信手段をさらに具備し、前記スタンプラリーシステムは前記携帯端末装置と通信を行うサーバをさらに具備し、前記サーバは前記携帯端末装置が予め定められたチェックポイントに到達した場合に、報償としてコンテンツデータを前記携帯端末装置へ送信することを特徴とする。
【０００６】
請求項３に記載の発明は、サーバとスタンプラリーの参加者が所持する携帯端末装置とがネットワークで接続されたスタンプラリーシステムにおいて、前記携帯端末装置は、筐体の位置を検出する位置情報検出手段と、筐体が向く方位を検出する方位情報検出手段と、を具備し、前記サーバは、前記携帯端末装置の位置情報検出手段が検出した位置が予め定められた位置と合致し、かつ前記携帯端末装置の方位情報検出手段が検出した方位が予め定められた方位と合致したときにチェックポイントに到達したと判定する到達判定手段を具備することを特徴とするスタンプラリーシステムである。
【０００７】
請求項４に記載の発明は、請求項３に記載のスタンプラリーシステムにおいて、前記サーバは、前記携帯端末装置が予め定められたチェックポイントに到達した場合に、報償としてコンテンツデータを前記携帯端末装置へ送信することを特徴とする。
【発明の効果】
【０００８】
本発明によれば、参加者の向いている方位も含めたチェックポイントの到達判定を行うことにより、広告効果、情報伝達効果の高いスタンプラリーを実施することができる。また、スタンプラリーシステムにおいてスタンプラリーの達成者に報償を授与する手段を設けることにより、スタンプラリーにおける報償の授与を効率的で即座に行うことができる。
【発明を実施するための最良の形態】
【０００９】
以下、図面を参照し、本発明の実施の形態について説明する。図１はこの実施の形態におけるスタンプラリーシステムの構成を示す図である。スタンプラリーシステムは携帯端末装置１、ＧＰＳ衛星２、サーバ３から構成される。
携帯端末装置１の構成は後述する。携帯端末装置１ａ、１ｂ、１ｃは携帯端末装置１と同様の携帯端末装置である。
ＧＰＳ衛星２は、衛星の軌道と時刻のデータを含む電波信号を送信する。ＧＰＳ受信機を用いて２４機存在するＧＰＳ衛星のうち複数の電波を受信し、その電波の時間差により地上における位置を求めることができる。
【００１０】
サーバ３は、ＣＰＵ（中央処理装置）、ＲＯＭ（リードオンリメモリ）、ＲＡＭ（ランダムアクセスメモリ）、ＨＤＤ（ハードディスクドライブ）、通信手段を具備する。ＣＰＵはＲＯＭに記憶されたプログラムに基づき各部を制御する。ＲＯＭはＣＰＵが実行するプログラム及び定数データを記憶する。ＲＡＭはＣＰＵの処理におけるデータを一時的に記憶する。また、スタンプラリーにおいて参加者が所持するそれぞれの携帯端末装置１が到達判定されたチェックポイントの情報を記憶する。ＨＤＤには携帯端末装置１へ送信され、携帯端末装置１で再生又は実行可能な音楽データ、動画データ、画像データ、ゲームソフト等のコンテンツデータが記憶される。また、スタンプラリーにおける各チェックポイントの到達判定に用いられる各チェックポイントの位置及び方位の情報が記憶される。
【００１１】
次に、図２を参照して携帯端末装置１の構成を説明する。図２は携帯端末装置１の構成を示すブロック図である。携帯端末装置１は、筐体の位置を検出する位置情報検出手段であるＧＰＳ受信機１０と、筐体が向く方位を検出する方位情報検出手段である地磁気センサ２０とを具備する。また、ここで説明する携帯端末装置１は携帯電話機の機能も具備する。
ＧＰＳ受信機１０は、図１のＧＰＳ衛星２から電波を受信して筐体の位置情報を求め、バスライン１１０を介してＣＰＵ３０へ出力する。
【００１２】
地磁気センサ２０は図３に示すように、Ｘ軸、Ｙ軸、Ｚ軸における磁界の強度を検出する磁気センサである。このＸ軸及びＹ軸は携帯端末装置１に対して図４に示す方向に互いに垂直に設定され、Ｚ軸はこれらに垂直で携帯端末装置１から手前に伸びる方向に設定されている。Ｘ軸センサ２１、Ｙ軸センサ２２、Ｚ軸センサ２３はＧＭＲ素子（巨大磁気抵抗効果素子）からなるセンサであり、それぞれＸ軸方向、Ｙ軸方向、Ｚ軸方向の磁界の強さに比例した値を出力する。
【００１３】
切換器２４は、Ｘ軸センサ２１、Ｙ軸センサ２２、Ｚ軸センサ２３の出力を一定周期で切り換えて増幅器２５に出力する。増幅器２５は各センサの出力を増幅してＡ／Ｄコンバータ２６に出力する。Ａ／Ｄコンバータ２６は入力信号をデジタル信号に変換し、インタフェース部２７に出力する。インタフェース部２７はＡ／Ｄコンバータ２６の出力をバスライン１１０を介してＣＰＵ３０へ出力する。
【００１４】
このようにして出力されたＸ軸センサ２１、Ｙ軸センサ２２、Ｚ軸センサ２３の値をそれぞれＳｘ、Ｓｙ、Ｓｚとしたとき、これらが取り得る値を座標空間上にプロットすると図５に示すような球面となる。すなわち、携帯端末装置１が向く方向を変えることによってＳｘ、Ｓｙ、Ｓｚがとる値は図５の球面上のいずれかの点に対応するので、原点からその点への矢印の方向から携帯端末装置１の向いている方向を座標空間において把握することができる。なお、携帯端末装置１が向いている方位を検出するためには、２軸の磁気センサだけでもよい。
【００１５】
ＣＰＵ３０は、ＲＯＭ４０に記憶されたプログラムに基づき各部を制御する。ＲＯＭ４０は、ＣＰＵ３０が実行するプログラム及び定数データを記憶する。ＲＡＭ５０は、ＣＰＵ３０の処理におけるデータを一時的に記憶する。
表示部６０は、ＣＰＵ３０から入力する表示用の信号に基づいて画像や文字等を表示する液晶ディスプレイである。操作キー部７０は、テンキー及びファンクションキーからなる。
【００１６】
通信部８０は、サーバ３とデータを送受信するとき、または、音声通話を行うときに用いられる。すなわち、通信部８０は、アンテナ８１を介して無線基地局との間で電波信号の送受信、送受信信号の変復調、ＣＰＵ３０との間のデータ入出力を行う。ここで、復調によって得られる文字データ、記号データ等についてはバスライン１１０を介してＣＰＵ３０へ出力し、音声データは音声処理部９０へ出力する。また、ＣＰＵ３０から出力される文字データ等及び音声処理部９０から出力される音声データを変調する。
【００１７】
音声処理部９０はマイク９１から入力される音声信号をデジタルの音声データに変換し圧縮して通信部８０へ出力する。また、通信部８０から出力される圧縮されたデジタルの音声データを伸張し、アナログ信号に変換してイヤスピーカ９２へ出力する。音源１００はＲＯＭ４０又はＲＡＭ５０に記憶されている楽音データまたは音声データに基づいてアナログ楽音（音声）信号を生成し、スピーカ１０１へ出力する。
【００１８】
次に、スタンプラリーにおけるチェックポイントの到達判定において必要となる、参加者の向いている方位の検出の仕方について説明する。これは以下に示す２つの例のようにして、スタンプラリーの参加者が所持する携帯端末装置１が向いている方位を基に参加者が向いている方位を検出するものである。すなわち、第１の例は携帯端末装置１の表示部６０に常に表示を行うことで参加者が常に携帯端末装置１を正面に持つようにするものであり、第２の例は参加者に携帯端末装置１を胸ポケットに入れるように義務付けることで参加者の向きと携帯端末装置１の向きの関係を一定に保つものである。
【００１９】
第１の例においては、携帯端末装置１の表示部６０には、スタンプラリーに必要な各種情報、例えば、地図、チェックポイントの設置場所のヒント、チェックポイントの方位を常に表示する。例えば、チェックポイントの方位については、ＣＰＵ３０がＧＰＳ受信機１０による現在の位置情報と地磁気センサ２０による現在の方位情報をサーバ３へ送信し、サーバ３においてこれらの情報と携帯端末装置１が未到達のチェックポイントの位置情報に基づいて、携帯端末装置１に表示すべき１または複数の未到達のチェックポイントの方位を示す矢印の方向を算出し、これを携帯端末装置１に送信して表示部６０にその矢印を表示する。なお、チェックポイントと現在地の間の距離情報等を表示してもよい。このとき参加者は、図６に示すように携帯端末装置１を常に自分の手前に持ち、携帯端末装置１のアンテナ８１（図４）を進行方向に向けて、携帯端末装置１の表示部６０を見ながら歩く必要があるので、参加者は常に携帯端末装置１に設定されたＹ軸の方向を向いていることになる。すなわち、携帯端末装置１に設定されたＹ軸の方位を求めることで、参加者が向いている方位を検出することができる。ここで、３軸の地磁気センサ２０または別に搭載される傾斜センサが携帯端末装置１の傾きを検知し、その傾きに応じて水平方向を算出することで参加者の向きを検出してもよい。この場合、仮に参加者が携帯端末装置１を真上に立てて持っている場合、参加者の向きはＺ軸の負の方向であると判断する。
なお、表示部６０に表示される各種情報はスタンプラリーの進行に応じて表示されるが、表示されるデータは進行に応じてその都度サーバ３から受信してもよいし、参加者がスタンプラリーを開始するときにサーバ３から受信して携帯端末装置１のＲＡＭ５０に記憶しておいてもよい。
【００２０】
参加者が向いている方位の検出の仕方の第２の例は、参加者に携帯端末装置１を所定の向きにして胸ポケットにいれておくことを義務付けるものである。すなわち、携帯端末装置１に設定されたＺ軸の方向が参加者の進行方向と一致するように参加者が携帯端末装置１を胸ポケットに入れておくことにより、携帯端末装置１に設定されたＺ軸の方位を求めることで、参加者が向いている方位を検出することができる。
この場合、携帯端末装置１の表示部６０には上記のようなスタンプラリーの各種情報の表示は行わず、表示部６０を見なくてもスランプラリーを行うことができるように、必要な情報は別途紙等で提供する。
【００２１】
次に、スタンプラリーにおけるチェックポイントの到達判定の仕方について説明する。図７において、展示物４ａは、スタンプラリーの主催者が参加者６の目に触れるようにして参加者６と接点を持たせたいと考えるものである。６ａから６ｄは携帯端末装置１を所持した参加者を表し、丸に付いている小さい三角の向きは参加者６ａから６ｄが向いている方位を表す。領域５ａは、チェックポイントの位置に到達したとみなす範囲である。
このときチェックポイントの到達判定は、前述のようにして検出される参加者の向いている方位と、携帯端末装置１のＧＰＳ受信機１０により検出される参加者の位置により行う。図７においては、参加者が領域５ａの内側に入っており、かつ、展示物４ａが設けられた方位、すなわち北あるいはこれに近い方位を向いている場合に、チェックポイント到達と判定される。例えば、参加者６ａは位置、方位ともＯＫであるのでチェックポイント到達と判定される。一方、参加者６ｂは位置はＯＫであるが方位がＮＧであり、参加者６ｃは方位はＯＫであるが位置がＮＧであり、参加者６ｄは位置、方位ともＮＧである。これらは、主催者の意図する仕掛けに気づいていないため、スタンプラリーの継続に支障をきたすものとして、チェックポイント到達とは判定しない。
【００２２】
図８も上記と同様にチェックポイントの到達判定の仕方を説明するための図である。図８において、４ｂは展示物であり、６ｅから６ｈは携帯端末装置１を所持した参加者を表し、丸に付いている小さい三角の向きは参加者６ｅから６ｈが向いている方位を表す。領域５ｂは、チェックポイントの位置に到達したとみなす範囲である。ここで参加者６ｅから６ｈは通路７しか通行できず、少し離れたところに展示物４ｂがある。この場合、展示物４ｂは領域５ｂの内側に入っていないが、参加者が領域５ｂに入っており、かつ、北あるいはこれに近い方位を向いている場合は概略展示物を見たと判断してチェックポイント到達と判定する。すなわち、参加者６ｅ及び６ｇがチェックポイント到達と判定される。
【００２３】
次に上述したスタンプラリーシステムの動作を説明する。図９はこの実施形態におけるスタンプラリーシステムにおけるサーバ３の処理の流れを示すフローチャートである。参加者が携帯端末装置１の操作キー部７０によりスタンプラリーを開始する操作を行うと、通信部８０を介してサーバ３に開始の信号が送信され、サーバ３において図９に示す処理が開始される。
【００２４】
ステップＳ１において、サーバ３が携帯端末装置１に対して位置情報と方位情報の送信を要求すると、携帯端末装置１のＣＰＵ３０はＧＰＳ受信機１０が検出した位置情報と地磁気センサ２０が検出した方位情報を取得し、通信部８０を介してサーバ３へ送信する。サーバ３はこれらを受信する。なお、携帯端末装置１のＣＰＵ３０が所定のタイミングでＧＰＳ受信機１０が検出した位置情報と地磁気センサ２０が検出した方位情報を取得し、サーバ３へ送信してもよい。
次に、サーバ３は受信した位置情報から、携帯端末装置１において現在必要な情報を送信する（ステップＳ２）。これは、例えば、携帯端末装置１から受信した位置情報に対応する地図、未到達のチェックポイントの設置場所に到達するためのヒントとなる情報、チェックポイント方位である。携帯端末装置１はこれを受信して表示部６０に表示する。
次に、サーバ３は、ステップＳ１で携帯端末装置１から受信した位置情報は、携帯端末装置１が未到達のチェックポイントの位置であるか判定する（ステップＳ３）。
ステップＳ３、及び、下記のステップＳ４、ステップＳ７の判定においては、サーバ３のＨＤＤに記憶された各チェックポイントの位置及び方位の情報、又は、サーバ３のＲＡＭに記憶された、参加者が所持するそれぞれの携帯端末装置１が到達判定されたチェックポイントの情報を用いる。判定結果が「Ｙｅｓ」の場合はステップＳ４へ進み、判定結果が「Ｎｏ」の場合は、ステップＳ１へ戻る。
【００２５】
次に、ステップＳ４において、ステップＳ１で携帯端末装置１から受信した方位はステップＳ３で判定されたチェックポイントについて定められた方位であるか判定する。判定結果が「Ｙｅｓ」の場合はステップＳ５へ進み、判定結果が「Ｎｏ」の場合は、ステップＳ１へ戻る。ステップＳ５において、携帯端末装置１はステップＳ３で判定されたチェックポイントに到達したとみなされる。サーバ３は携帯端末装置１が到達したチェックポイントをＲＡＭに記憶する。そして、チェックポイントに到達したという情報を携帯端末装置１へ送信する（ステップＳ６）。携帯端末装置１はこれを受信して表示部６０に表示する。または、ＲＯＭ４０またはＲＡＭ５０に記憶された楽音データから音源１００により楽音信号を生成しスピーカ１０１から出力してもよいし、携帯端末装置１にＬＥＤによる発光部をさらに設け、これを発光させてもよい。
【００２６】
次に、サーバ３は、携帯端末装置１が全てのチェックポイントに到達したか判定する（ステップＳ７）。判定結果が「Ｙｅｓ」の場合はステップＳ８へ進み、判定結果が「Ｎｏ」の場合は、ステップＳ１へ戻る。ステップＳ８において、すべてのチェックポイントに到達した報償のコンテンツデータを携帯端末装置１へ送信する。なお、コンテンツデータは全てのチェックポイントに到達したときではなく、全てのチェックポイントのうち所定の数のチェックポイントに到達したときに携帯端末装置１へ送信してもよい。また、ステップＳ１において、位置情報のみを携帯端末装置１から受信し、ステップＳ３にて携帯端末装置１がチェックポイントの位置に到達した時に方位情報の要求信号を送信するようにしてもよい。
【００２７】
なお、図９の処理はサーバ３で行ったが、携帯端末装置１のＣＰＵ３０において図９に示す処理を行うプログラムをサーバ３に記憶し、参加者がスタンプラリーを開始するときにこのプログラムを携帯端末装置１にダウンロードして携帯端末装置１において処理を行ってもよい。この場合、ステップＳ１、ステップＳ２、ステップＳ６においては情報を送受信する必要はなく、ステップＳ８においては携帯端末装置１がサーバ３へコンテンツデータを要求し、これをサーバ３から携帯端末装置１へ送信する。また、上記の実施形態において、各チェックポイントの位置及び方位の情報をサーバ３のＨＤＤに記憶しているが、これを携帯端末装置１へ送信してＲＡＭ５０に記憶する。また、参加者の所持するそれぞれの携帯端末装置１が到達判定されたチェックポイントをサーバ３のＲＡＭに記憶していたが、これは携帯端末装置１のＲＡＭ５０に記憶する。
【００２８】
なお、上記の実施形態においては、携帯端末装置１の位置情報検出手段としてＧＰＳ受信機１０を用いたが、例えば、スタンプラリー会場の各所に近距離無線送信設備を設置し、携帯端末装置１にはこの電波を受信する受信機を具備し、この電波を受信した、すなわち、サービスエリアに入ったことをもって位置を検出するようにしてもよい。
なお、携帯端末装置１に気圧センサ等の高さを検知するセンサを搭載し、参加者のいる建物の階数、橋の上か下か等をチェックポイントの到達判定の条件に含めてもよい。
なお、サーバ３は、スタンプラリーに関する付加的な情報、例えば、参加者のラリー達成状況、ランキング、参加者がチェックポイントに近いことを示すヒント、参加者の近くにいる他の参加者の情報等を、全てあるいは一部の参加者の携帯端末装置１に送信してもよい。これらの情報は携帯端末装置１からサーバ３へ要求を行ったときに、サーバ３から送信してもよい。
本発明により、今後多くの携帯電話等の携帯端末装置に搭載されるであろう方位センサを有効に利用することができる。
【産業上の利用可能性】
【００２９】
本発明は、スタンプラリーを実施するときに用いられる。
【図面の簡単な説明】
【００３０】
【図１】本発明の実施形態によるスタンプラリーシステムの構成を示す図である。
【図２】携帯端末装置１の構成を示すブロック図である。
【図３】地磁気センサ２０の構成を示すブロック図である。
【図４】携帯端末装置１に設定されたＸ軸及びＹ軸の方向を示す図である。
【図５】地磁気センサ２０の出力値を座標空間上にプロットしたグラフである。
【図６】参加者の進行方向と携帯端末装置１の向きの関係を示す図である。
【図７】スタンプラリーにおけるチェックポイントの到達判定の仕方を説明するための図である。
【図８】スタンプラリーにおけるチェックポイントの到達判定の仕方を説明するための図である。
【図９】この実施形態におけるスタンプラリーシステムにおけるサーバ３の処理の流れを示すフローチャートである。
【符号の説明】
【００３１】
１、１ａ、１ｂ、１ｃ…携帯端末装置、２…ＧＰＳ衛星、３…サーバ、４ａ、４ｂ…展示物、５ａ、５ｂ…領域、６、６ａ、６ｂ、６ｃ、６ｄ、６ｅ、６ｆ、６ｇ、６ｈ…参加者、７…通路、１０…ＧＰＳ受信機、２０…地磁気センサ、２１…Ｘ軸センサ、２２…Ｙ軸センサ、２３…Ｚ軸センサ、２４…切換器、２５…増幅器、２６…Ａ／Ｄコンバータ、２７…インタフェース部、３０…ＣＰＵ、４０…ＲＯＭ、５０…ＲＡＭ、６０…表示部、７０…操作キー部、８０…通信部、８１…アンテナ、９０…音声処理部、９１…マイク、９２…イヤスピーカ、１００…音源、１０１…スピーカ、１１０…バスライン
【図１】
2006209214.tif 000003
【図２】
2006209214.tif 000004
【図３】
2006209214.tif 000005
【図４】
2006209214.tif 000006
【図５】
2006209214.tif 000007
【図６】
2006209214.tif 000008
【図７】
2006209214.tif 000009
【図８】
2006209214.tif 000010
【図９】
2006209214.tif 000011